(57)【要約】      （修正有）【課題】自由に変形が可能な不定形状をなしているため絡まりやすいという不具合と、また、存在感に乏しくおざなりになりがちで無くしやすいという問題を好適に解消し得る輪ゴムを提供する。【解決手段】輪ゴムＷＧを、板状かつ、吸盤構造を持つ取手２と、前記取手２と略同一平面上に縮小し得るように設定された輪ゴム本体１とによって、コインに準じた円形平板形状に形状記憶され、弾性的に展開可能な前記輪ゴム本体１と、この輪ゴム本体１に設けた前記取手２とを具備するものとした。【選択図】図９
2010116180.tif 000002
【特許請求の範囲】
【請求項１】
所定の縮小形状に形状記憶されリング形態に弾性的に展開可能な輪ゴム本体と、この輪ゴム本体に設けた取手とを具備してなることを特徴とする輪ゴム。
【請求項２】
前記取手が板状のものであり、前記輪ゴム本体が前記取手と略同一平面上に縮小し得るように設定されたものである請求項１記載の輪ゴム。
【請求項３】
前記取手と縮小した輪ゴム本体とによって、コインに準じた円形平板形状をなすように設定されている請求項１又は２記載の輪ゴム。
【請求項４】
前記取手が円盤状のものであり、前記輪ゴム本体が取手の外側を囲む第一の輪ゴム本体構成部と、この第一の輪ゴム本体構成部の外側を囲む第二の輪ゴム本体構成部とを具備してなるものである請求項１、２又は３記載の輪ゴム。
【請求項５】
前記取手が吸盤構造をなすものである請求項１、２、３又は４記載の輪ゴム。
【請求項６】
前記取手と前記輪ゴム本体とが同一材料により一体的に形成されたものである請求項１、２、３、４又は５記載の輪ゴム。
【請求項７】
前記同一材料がシリコンゴムである請求項６記載の輪ゴム。
【発明の詳細な説明】
【技術分野】
【０００１】
本発明は、輪ゴムに関する。
【背景技術】
【０００２】
従来から、ゴムを輪状に形成してなる輪ゴムが知られている（例えば特許文献１参照）。
【０００３】
このような輪ゴムは自由に変形が可能な不定形状をなしているため絡まりやすいという不具合があり、また、存在感に乏しくおざなりになりがちで無くしやすいという問題もある。
【特許文献１】実開平４−８６７６０号公報
【発明の開示】
【発明が解決しようとする課題】
【０００４】
本発明は、少なくとも絡まりやすいという課題を好適に解消することを目的としている。
【課題を解決するための手段】
【０００５】
すなわち、本発明の輪ゴムは、所定の縮小形状に形状記憶されリング形態に弾性的に展開可能な輪ゴム本体と、この輪ゴム本体に設けた取手とを具備してなることを特徴とする。
【０００６】
このようなものであれば、輪ゴム本体が所定の縮小形状に形状記憶されたものであるため、絡まりやすいという問題を好適に解消することができる。しかも、リング形態に弾性的に展開可能な輪ゴム本体が、所定の縮小形状を維持することができるため、一般的に存在感に薄くぞんざいに扱われやすい非使用時の輪ゴムについて視認性を向上させるとともに、存在感を付与することができる。
【０００７】
非使用時における取り扱いが良好な形態としては、前記取手が板状のものであり、前記輪ゴム本体が前記取手と略同一平面上に縮小し得るように設定されたものを挙げることができる。この場合に、前記取手と縮小した輪ゴム本体とによって、コインに準じた円形平板形状をなすように設定しておけば、コインと同様に取り扱えるので見栄えや感触が良好であり、更には、絡まることなくコンパクトに保管しておくことができるものとなる。
【０００８】
より具体的な態様としては、前記取手が円盤状のものであり、前記輪ゴム本体が取手の外側を囲む第一の輪ゴム本体構成部と、この第一の輪ゴム本体構成部の外側を囲む第二の輪ゴム本体構成部とを具備してなるものを挙げることができる。
【０００９】
使用時や非使用時を問わずに、利便性をより一層向上させるには、前記取手を吸盤構造にしておくのが好適である。このようなものであれば、前記取手を吸着可能な面である壁面や起立面等に任意に貼り付けた状態で、保管ないし使用することができる。
【００１０】
耐久性の向上や製造の効率化を図るには、前記取手と前記輪ゴム本体とが同一材料により一体的に形成されたものなどが好ましい。
【００１１】
なお、耐久性を高め、繰り返しの使用に対しても劣化を好適に抑制し得るものとしては、前記同一材料、換言すれば前記輪ゴム本体及び前記取手をシリコンゴム製にしたものを挙げることができる。
【発明の効果】
【００１２】
以上説明したように本発明によれば、輪ゴム本体が非使用時に予め記憶させてある縮小形状に自己復帰するため絡まりにくいものであり、また取手を有しているため取り扱いに便利な輪ゴムを提供することができる。
【００１３】
特に、取手と縮小した輪ゴム本体とが平板状をなすように、同一平面上に位置するように設定しておけば非使用時の形態が取り扱いやすいものとなり、収納が便利な上、視認性や存在感を高めて紛失を効果的に抑制することができる。
【発明を実施するための最良の形態】
【００１４】
以下、本発明の一実施形態を、図面を参照して説明する。
【００１５】
この輪ゴムＷＧは、図１乃至図９に示すように、所定の縮小形状に形状記憶されリング形態に弾性的に展開可能な輪ゴム本体１と、この輪ゴム本体１に一体に設けた円盤状の取手２とを具備してなるもので、全体としてコインに準じた円形平板形状をなしているものである。
【００１６】
詳述すれば、輪ゴム本体１は、部分円弧状の内側隙間Ｓ１を介して取手２の外側を囲む第一の輪ゴム本体構成部１１と、この第一の輪ゴム本体構成部１１の外側を部分円弧状の外側隙間Ｓ２を介して包囲する第二の輪ゴム本体構成部１２とを具備してなる。第一の輪ゴム本体構成部１１は、部分リング状をなすもので、その中央部分は内連結部ｒ１を介して取手２の外周に接続されている。また、第一の輪ゴム本体構成部１１の両端ｔ１、ｔ２はＵ字状をなす外連結部ｒ２、ｒ３を介して、前記第二の輪ゴム本体構成部１２の両端ｔ３、ｔ４に連続させてある。両外連結部ｒ２、ｒ３同士は、縮小形状において相互に接触した状態としている。第二の輪ゴム本体構成部１２は、部分リング状をなすものである。
【００１７】
また、輪ゴム本体１は、板状をなす取手２と略同一平面上に縮小し得るように設定されたものとしている。換言すれば、輪ゴム本体１は縮小形状において、板状をなす取手２と略同一平面上に位置し得るように形状記憶されている。しかして、縮小した状態の輪ゴム本体１及び取手２は、平面視左右対称形状をなし、内側隙間Ｓ１及び外側隙間Ｓ２をも含めた外観は、全体としてコインに準じた円形平板形状をなしている。
【００１８】
取手２は、板状のものであるが、具体的には前述のように円盤状をなすものであり、且つ、吸盤構造をなしている。より詳細に説明すると、吸盤構造をなす取手２の表面Ａは部分球面状に膨出する凸面形状を形成したものであり、取手２の裏面Ｂは吸着作用を発揮させるための凹面形状を形成したものとしている。取手２は、輪ゴム本体１を弾性的に展開する際などに、手指で摘むことができるように、一般的な手指の大きさに対応し得る一定の大きさに形成されたものとしている。
【００１９】
前記輪ゴム本体１と前記取手２とは同一材料、例えばシリコンゴムを用いて一体的に形成されたものとしている。すなわち、前述した縮小形状に対応した型を用いて前記輪ゴム本体１と前記取手２とを一体成型し、分子に橋がけが完了した段階で離型することにより本輪ゴムＷＧを得るようにしている。このようにすることで、本実施形態に係る輪ゴムＷＧは、輪ゴム本体１が縮小形状に形状記憶した状態で完成することになる。
【００２０】
このような構成のものであれば、非使用時の状態、換言すれば、輪ゴム本来の使用がされていない状態では、輪ゴムＷＧが全体としてコインに準じた円形平板形状をなしたものとなるので、輪ゴム本体１が安易に絡まることが無く、視認性が高く且つ存在感を有するコインと同様の取り扱い易さや使い勝手の良さを発揮することができる。
【００２１】
一方、輪ゴムＷＧを使用する場合には、取手２を摘んで引っ張ることにより輪ゴム本体１がリング形態に弾性的に展開して図１０に示すような輪状になるので、通常の輪ゴムと同じように種々の用途に供することができる。
【００２２】
ここで、図１３は、本実施形態における輪ゴムＷＧの使用時の状態を示している。すなわち、同図は、前記輪ゴム本体１により丸めた用紙Ｐを束ねた状態を示している。なお、輪ゴムＷＧを用紙Ｐから取り外す場合は、用紙Ｐを抑えつつ取手２を手指で摘んで引っ張れば緊縛状態を簡単に解くことができるため、作業をスムーズなものとすることができる。
【００２３】
本発明は、取手２を吸盤構造にしないものであっても良いが、前述の取手２を吸盤構造にしておけば使用時や不使用時を問わず、輪ゴムＷＧの取り扱いにおいて便宜なものとなる。
【００２４】
具体的には、図１１に示すように、輪ゴム本体１の非使用時において、吸盤構造をなす取手２を、吸盤が吸着可能な面（以下、「吸盤吸着面」という）に吸着させることができる。なお、吸盤吸着面を有するものとしては、例えば、窓、壁面、ホワイトボード等を挙げることができるが、もちろんこれらに限定されるものではない。この他にも、デスクの天板等の上下面や、容器の内外側面等に形成される吸盤吸着面に対して、吸盤構造をなす取手２を任意に吸着させて所定の箇所に留め置くことができる。このようなものであるので、輪ゴムＷＧを所定の吸着箇所に留め置くことができ、輪ゴムＷＧを安易に紛失させないものとすることができる。また、輪ゴムＷＧを使用する場合には、任意の箇所に留め置かれた状態にある輪ゴムＷＧを利用者に容易に認識させることができ、従来の輪ゴムと比べて使い勝手が飛躍的に向上するものとなる。
【００２５】
また、図１２は、取手２を吸盤吸着面である起立面に吸着して使用した状態の一例を示している。具体的に説明すると、取手２は、ホワイトボードＷの盤面に吸着した状態にしておく一方、輪ゴム本体１は、その輪状構造を利用して、筆記具Ｈを引っ掛けることができるようにしている。換言すると、本実施形態における輪ゴムＷＧは、吸盤構造をなす取手２を起立面に吸着させることにより、輪ゴム本体１の輪状構造を利用して筆記具その他種々の物品を吊るしたり引っ掛けたりすることができ、且つ、筆記具その他種々の物品を吊るしたり引っ掛けたりした状態で、その物品を起立面に保持することができるようにしている。このようなものであれば、輪ゴムＷＧの用途を飛躍的に拡大させることができるため、輪ゴムＷＧがぞんざいに扱われることを効果的に抑制することができるものとなる。
【００２６】
このように、本実施形態に係る輪ゴムは、輪ゴム本体が所定の縮小形状に形状記憶されたものであるため、絡まりやすいという問題を好適に解消することができ、一般にぞんざいに扱われやすい輪ゴムに対して、視認性を向上させるとともに存在感を与えることができるものとなる。
【００２７】
なお、本発明は、以上に詳述した実施形態に限られるものではない。
【００２８】
例えば、輪ゴム本体及び取手の大きさは任意に設定することが可能であり、特定の大きさに限定されるものではない。
【００２９】
また、吸盤構造をなす取手は、表裏両面に凹面形状を形成したものとしてもよい。
【００３０】
輪ゴムを構成する素材は、本実施形態に示されるものに限定されるものではない。しかしながら、本実施形態に示すようなシリコンゴムを用いたものであれば、耐久性に富んで繰り返して使用しても劣化しにくい好適な輪ゴムを実現することができる。
【００３１】
その他、各部の具体的構成についても上記実施形態に限られるものではなく、本発明の趣旨を逸脱しない範囲で種々変形が可能である。
【図面の簡単な説明】
【００３２】
【図１】本発明の一実施形態を示す平面図。
【図２】同実施形態を示す底面図。
【図３】同実施形態を示す正面図。
【図４】同実施形態を示す背面図。
【図５】同実施形態を示す左側面図。
【図６】同実施形態を示す右側面図。
【図７】図１におけるＡ−Ａ線断面図。
【図８】図１におけるＢ−Ｂ線断面図。
【図９】同実施形態を示す斜視図。
【図１０】同実施形態における輪ゴム本体を広げた状態を示す平面図。
【図１１】同実施形態における輪ゴムの使用状態を示す斜視図。
【図１２】同実施形態における輪ゴムの使用状態を示す斜視図。
【図１３】同実施形態における輪ゴムの使用状態を示す斜視図。
【符号の説明】
【００３３】
ＷＧ…輪ゴム
１…輪ゴム本体
２…取手
【図１】
2010116180.tif 000003
【図２】
2010116180.tif 000004
【図３】
2010116180.tif 000005
【図４】
2010116180.tif 000006
【図５】
2010116180.tif 000007
【図６】
2010116180.tif 000008
【図７】
2010116180.tif 000009
【図８】
2010116180.tif 000010
【図９】
2010116180.tif 000011
【図１０】
2010116180.tif 000012
【図１１】
2010116180.tif 000013
【図１２】
2010116180.tif 000014
【図１３】
2010116180.tif 000015